(57)【要約】【課題】ハードジェルとソフトジェルの両方のジェルネイルを同じく短時間で硬化させることができ、ハードジェル用ランプとソフトジェル用ランプとを使い分けによる煩雑さをなくすと共に、低コストなジェルネイル硬化用ランプを提供すること。【解決手段】義爪材料のＵＶジェルを硬化させるジェルネイル硬化用ランプ１において、硬化する波長が相違する二種以上のジェルネイルの特性に合わせて、それぞれに最適な波長、例えば発光波長が４０５ｎｍ付近のＬＥＤ３と３７０ｎｍ付近のＬＥＤ４の二種類のＬＥＤを設けたジェルネイル硬化用ＬＥＤランプ。【選択図】図１
0003179777.tif 000002
【実用新案登録請求の範囲】
【請求項１】
義爪材料のＵＶジェルを硬化させるジェルネイル硬化用ランプにおいて、硬化する波長が相違する２種類以上のジェルネイルの特性に合わせて、それぞれに最適な波長を発光する２種類以上のＬＥＤを設けたことを特徴とするジェルネイル硬化用ＬＥＤランプ。
【請求項２】
ＬＥＤ球の１つの球の中に、波長が相違するＬＥＤ素子を２種類以上組み込んだことを特徴とする請求項１に記載のジェルネイル硬化用ＬＥＤランプ。
【請求項３】
発光波長が４０５ｎｍ付近と３７０ｎｍ付近の２種類のＬＥＤを組み込んだことを特徴とする請求項１又は２に記載のジェルネイル硬化用ＬＥＤランプ。
【考案の詳細な説明】
【技術分野】
【０００１】
この考案は、義爪の材料として用いられる光硬化型のジェルを硬化させる紫外線および可視光線を照射するランプに関するもので、更に詳しくは、ハードジェル、ソフトジェル（ソークオフジェル）両方のジェルネイルを極めて短時間で硬化することのできるＬＥＤランプに関するものである。
【背景技術】
【０００２】
最近は義爪としてジェルネイルが流行となっているが、当初は溶剤で溶けないハードジェルのみしかなく、このタイプのジェルは、蛍光管からなる３７０ｎｍあたりの波長をピークとするＵＶランプを使用して２〜３分で硬化させていた。
【０００３】
近年、溶剤で溶かすことのできるソークオフジェル（ソフトジェル）がその手軽さからよく使われるようになってきた。しかしこのソークオフジェルを硬化させるには４０５ｎｍの光を照射する必要があるが、専用のランプが開発されるまでハードジェルに使われるＵＶランプで硬化させていた。
【０００４】
ところで、蛍光管タイプのＵＶランプは、３７０ｎｍあたりをピークとする放物線を描く波長を出すため、使用は可能ではあるが４０５ｎｍの波長に関しては出力が低く、硬化にやはり２〜３分という時間がかかったものである。
【０００５】
しかし、最近では４０５ｎｍに特化した光を出すＬＥＤランプの開発がされ、１０秒から３０秒という短時間で硬化が可能になってきた。
【先行技術文献】
【特許文献】
【０００６】
【特許文献１】特開２０１１−７８６３８号公報
【考案の概要】
【考案が解決しようとする課題】
【０００７】
しかしながら、ＬＥＤの分光特性はピークが急峻であり、この４０５ｎｍに特化したＬＥＤランプでは、今度は３７０ｎｍあたりで硬化するハードジェルは硬化させることができない。
【０００８】
そのため、３７０ｎｍあたりの波長をピークとするハードジェル用ランプと、４０５ｎｍあたりの波長をピークとするソフトジェル用ランプと、それぞれランプを別個に用意していたが、２つのランプが必要となることでコストが高くなり、また使用の際の使い分けが煩雑になるといった問題があった。
【０００９】
これに対して、従来、４０５ｎｍのＬＥＤ球と蛍光管タイプのＵＶ球を組み合わせて、使用時における使い分け等の煩雑さをなくしたものもあるが、ＬＥＤ球と蛍光管タイプのＵＶ球を単に組み合わせただけであり、コスト的に高価な上、それぞれ硬化速度の異なるランプとなっていた。
【００１０】
そこで、この考案の課題は、ハードジェルとソフトジェルの両方のジェルネイルを同じく短時間で硬化させることができ、ハードジェル用ランプとソフトジェル用ランプとを使い分けによる煩雑さをなくすと共に、低コストなジェルネイル硬化用ランプを提供することにある。
【課題を解決するための手段】
【００１１】
上記の課題を解決するため、請求項１の考案は、義爪材料のＵＶジェルを硬化させるジェルネイル硬化用ランプにおいて、硬化する波長が相違する２種類以上のジェルネイルの特性に合わせて、それぞれに最適な波長を発光する２種類以上のＬＥＤを設けたジェルネイル硬化用ＬＥＤランプである。
【００１２】
請求項２の考案は、上記請求項１に記載のジェルネイル硬化用ＬＥＤランプにおいて、ＬＥＤ球の１つの球の中に、波長が相違するＬＥＤ素子を２種類以上組み込んだ構成を採用する。
【００１３】
請求項３の考案は、上記請求項１又は２に記載のジェルネイル硬化用ＬＥＤランプにおいて、発光波長が４０５ｎｍ付近と３７０ｎｍ付近の２種類のＬＥＤを組み込んだ構成を採用する。
【００１４】
従来からジェルの種類により求められる光の波長が違うため、それぞれ専用のランプを用意したり、蛍光管タイプのＵＶランプの発光波長が放物線を描くのを利用して、時間がかかるが、出力の小さな波長の部分を利用したりしていたが、この考案では、両タイプのジェルを１台のランプで硬化を可能とするため、従来の４０５ｎｍのＬＥＤ球と新たに開発された３７０ｎｍ（３６５ｎｍ〜３７０ｎｍ）のＬＥＤ球をそれぞれ複数個照射器に組み込んだのである。
【００１５】
２種類の発光波長をもつ光源を組み合わせる考え方は従来にもあり、その方法は４０５ｎｍのＬＥＤ球と蛍光管タイプのＵＶ球を組み合わせたものであったが、本願考案では、従来蛍光管タイプで硬化させていたハードジェルに対してもＬＥＤ球のみで硬化させるのを特徴としており、ＬＥＤ球のみで構成するため、電源部やその他回路を共通で利用でき、２種類の光源を利用したものより低コスト化できる。
【００１６】
また、本考案では、単に２種類のＬＥＤ球をそれぞれ単に配列するだけでなく、ＬＥＤ球の１つのカプセルに中に両タイプの波長のＬＥＤ素子を組み込み、１種類のＬＥＤ球として配列することも可能とした。
【００１７】
なお、ＬＥＤの発光波長は、現状のＵＶジェルに合わせた４０５ｎｍ付近と３７０ｎｍ付近の２種類に限定されるものではなく、今後現れる新たなジェル材料に合わせた波長に合わせて３種類以上の発光波長を有するＬＥＤを組み合わせることもできる。
【考案の効果】
【００１８】
以上のように、請求項１の考案によると、ハードジェル、ソフトジェル（ソークオフジェル）両方のジェルネイルを、１つのランプによって硬化させることができ、両方のランプを用意することによる高コストや使い分ける煩雑さが解消する。
【００１９】
また、一方のＵＶジェルの特性に合わせた蛍光管タイプＵＶランプを利用して、他方の特性のＵＶジェルを硬化させる場合のような硬化時間がかかることもない。
【００２０】
また、請求項２の考案によると、ＬＥＤ球の１つのカプセルの中に両タイプの波長のＬＥＤ素子を組み込み、１種類のＬＥＤ球としてランプを構成するので、低コストであり、２つ以上のＬＥＤ球が必要ないのでデザインの自由度が高くなり、小形化も可能であると共に従来のものと同じデザインとすることもできる。
【００２１】
また、請求項３の考案によると、現状使用されているハードジェルとソフトジェルの両方のジェルネイルを短時間で硬化させるのに最適なランプとなる。
【図面の簡単な説明】
【００２２】
【図１】この考案のジェルネイル硬化用ＬＥＤランプの一例を示す斜視図である。
【図２】（Ａ）は１つのＬＥＤ素子を内蔵したＬＥＤの斜視図、（Ｂ）は２つのＬＥＤ素子を内蔵したＬＥＤの斜視図である。
【考案を実施するための形態】
【００２３】
本考案のジェルネイル硬化用ＬＥＤランプの一例を、添付図面に基づいて説明する。
本考案のジェルネイル硬化用ＬＥＤランプ１は、リングを半分に切り取った三日月状をしており、図１に示すような向きで机等の上に立てた時、下部に指先等を入れることのできる程度の開口部２が形成されるようになっている。
【００２４】
このジェルネイル硬化用ＬＥＤランプ１の開口部２に臨む下面側には、光源として２種類のＬＥＤ、即ち発光波長が４０５ｎｍ付近のＬＥＤ３と３７０ｎｍ付近のＬＥＤ４の２種類のＬＥＤが複数個組み込まれている。
【００２５】
これらＬＥＤ３又は４の発光のための電源回路や、発光スイッチは共通としておいてよく、また、使い勝手や使用上のミスを防ぐ点からも、あえて２種類のＬＥＤの切り替え操作部は不要である。
【００２６】
使用の際には、爪にジェルを塗布した指先を開口部２の中に入れて、ＬＥＤ３及び４を発光させることで、約１０秒から３０秒の短時間でジェルが硬化する。
【００２７】
なお、この考案が適用できるジェルネイル硬化用ＬＥＤランプの形状は、図１のものに限定されるものではなく、種々の形状のランプに適用できるのは言うまでもない。
【００２８】
また、通常のＬＥＤ（例としてＬＥＤ３）は、図２（Ａ）のように、基体５の上面にある１つのＬＥＤ球６の中に発光波長が４０５ｎｍ付近のＬＥＤ素子７が１つ内蔵されたものであるが、図２（Ｂ）のように、１つのＬＥＤ球６の中に、発光波長が４０５ｎｍ付近のＬＥＤ素子７と、発光波長が３７０ｎｍ付近のＬＥＤ素子８の２種類のＬＥＤ素子を内蔵させた複合ＬＥＤ９を構成するようにしてもよい。
【００２９】
さらに、この考案のジェルネイル硬化用ＬＥＤランプは、上記した発光波長に限られず、今後開発される光硬化型ジェルの硬化特性に最適な波長を適宜選択して取り付ければよく、種類も３種類以上の発光波長を有するＬＥＤを組み込んでもよい。
【符号の説明】
【００３０】
１  ジェルネイル硬化用ＬＥＤランプ
２  開口部
３  発光波長が４０５ｎｍ付近のＬＥＤ
４  発光波長が３７０ｎｍ付近のＬＥＤ
５  基板
６  ＬＥＤ球
７  発光波長が４０５ｎｍ付近のＬＥＤ素子
８  発光波長が３７０ｎｍ付近のＬＥＤ素子
９  複合ＬＥＤ
【図１】
0003179777.tif 000003
【図２】
0003179777.tif 000004